(57)【特許請求の範囲】
【請求項１】
引張材を定着する円盤状のアンカーヘッドの外周面に、天端部分が基端部分よりも径が大きくなる単数の段差を形成し、このアンカーヘッドの段差に係止可能な鉤状突片を有しているとともに、複数に分割可能であって、更に一体にしたとき外周面に連続するネジが切ってあるカップラーをアンカーヘッドにかぶせ、このカップラーの外側に内周面にネジ切りしてある拘束筒を螺合してかぶせ、この拘束筒にロッド状のテンションバーを連結し、このテンションバーを掴んでジャッキによってアンカーヘッドごと全引張材を再緊張し、アンカーヘッドと支圧板との間に生じた隙間にシムを噛ませることを特徴とするグラウンドアンカーの再緊張方法。
【請求項２】
アンカーヘッドの段差面は、内径側に行くに従って徐々に支圧板から離隔するように傾斜しているテーパー面として形成してあることを特徴とする請求項１記載のグラウンドアンカーの再緊張方法。
【発明の詳細な説明】
【技術分野】
【０００１】
この発明は、地中に埋設した引張材をグラウト材によって定着し、緊張してプレストレス力を与えるグラウンドアンカーに関するものであり、特に地形の経年変化などによってプレストレス力の減少が生じたグラウンドアンカーの再緊張を容易に可能とする方法に関するものである。
【背景技術】
【０００２】
地中に掘削した削孔にＰＣストランドなどの引張材を挿入し、その削孔にグラウト材を注入して引張材を固定するグラウンドアンカーが広く使用されている。このようなグラウンドアンカーは、その地上から出た部分を、地上に設置したコンクリートブロックなどの地上構造物の上に突出させ、その構造物の上でアンカーヘッドなどにクサビなどによって定着する。その定着する際、引張材はジャッキによって緊張してプレストレス力を与え、地形の崩壊などをこのプレストレス力によって押さえるようにしている。
【０００３】
しかし、グラウンドアンカーを定着して年月が過ぎると、地形などが経年変化を起こして、一度緊張して与えたプレストレス力では不十分となって、引張材を再緊張してプレストレス力を再度与える必要が生じることがある。
【０００４】
この再緊張する際に問題となるのは、引張材を直接ジャッキで掴んで緊張することが出来ないことがあることである。最初にプレストレス力を与えた後、引張材を切断するのであるが、再緊張のことを考慮せず、アンカーヘッドからほんの僅か突き出したところで引張材を切断してある場合が多々あり、このような場合は掴み代が短か過ぎて、ジャッキによって引張材を掴むことができず、再緊張が不可能となってしまう。
【０００５】
このため、予めアンカーヘッドの外周面にネジ山を刻設しておき、このアンカーヘッドの外周に内側に雌ネジを刻設した円筒形状のカップラーを螺合してかぶせ、このカップーに取付けたロッド状のテンションバーをジャッキによって掴んで緊張する方法が採られていた。これはつまり、引張材を直接緊張するのではなく、アンカーヘッドと一緒に全引張材を同時に再緊張する方法である。
【０００６】
しかしながら、アンカーヘッドの外周面にネジ山を刻設するネジ切り加工を施すと、アンカーヘッドの単価が高くなって、施工費を高くさせる原因となっていた。また、これに連結するカップラーの製造費も高価となっていた。
【特許文献１】特許第２５８７０３１号公報
【発明の開示】
【発明が解決しようとする課題】
【０００７】
この発明が解決しようとする課題は、グラウンドアンカーの材料費が高価となる点である。
【課題を解決するための手段】
【０００８】
この発明は、アンカーヘッドの外周面に、天端部分が基端部分よりも径が大きくなるよう段差を設け、この段差に引っ掛かるように分割可能なカップラーをかぶせ、アンカーヘッドごと全引張材を同時に再緊張可能することを特徴とするものである。
【発明の効果】
【０００９】
この発明にかかるグラウンドアンカーの再緊張方法は、以下の効果を得ることができる。
○アンカーヘッドごと全引張材を同時緊張するため、引張材に掴み代が無くても再緊張可能となる。
○アンカーヘッドの外周に段差を形成するだけであるから、ネジ切り加工が不要となり、部材を安価とすることができる。
○ネジ切りしないカップラーを使用した場合は、カップラー自体の製造費も安価になり、また段差に引っ掛けるようにするだけであるから、施工も容易となって、施工期間を短縮できる。
○カップラーの周囲に拘束筒をかぶせることによって、カップラーが拡こうとするのを防ぎ、安全に施工できる。
○アンカーヘッドの段差面をテーパー面とすることにより、緊張時にこれに係止する鉤状突片をアンカーヘッドの外周側に引き寄せ、より咬み合わせが強固となる。
【発明を実施するための最良の形態】
【００１０】
アンカーヘッドは、ある程度の厚みを持つ円盤形状であって、中心線方向と平行に、単数又は複数個の引張材挿通孔が貫通している。引張材は、アンカーヘッドに圧縮マンションによって定着するタイプでもよいし、引張材挿通孔内にクサビを配置して、そのクサビで引張材を締め付けて定着タイプでも、いずれにも実施できる。アンカーヘッドの外周面には、その天端部分の方が、基端部分よりも径が大きくなるよう、上下中間に段差が形成されている。段差部分の面は、内径側に行くに従って、支圧板から徐々に離隔するよう傾斜したテーパー面に形成されている。このようなアンカーヘッドが、コンクリートブロックなどの地上構造物の上に設置され、地中に埋設したグラウンドアンカーの引張材がその挿通孔に通されて、定着してある。
【００１１】
引張材を再緊張する場合、このアンカーヘッドにカップラーをかぶせる。カップラーは複数に分割されており、分割された複数部分を一体のカップラーにしたとき、その下部は円筒形状となっている。カップラーの外周面にはネジ切りしてあって、分割されていたものを一体化したとき、カップラーの外周面全体にネジが連続することになる。この円筒部分の内側には、前記アンカーヘッドの段差に係止可能な鉤状の突片を有している。鉤状の突片の係止面は、内周に行くに従って徐々に支圧板から離隔する方向に傾斜したテーパー面に形成してある。このカップラーに、内周面にネジ切りしてある筒状の拘束筒をかぶせる。カップラーを拘束筒で拘束することによって、多大な緊張力によってカップラーの支圧板側端が拡こうとするのを防ぎ、安全な施工が可能となる。拘束筒の上にはロッド状のテンションバーが連結可能である。
【００１２】
テンションバーをジャッキによって掴んで、アンカーヘッドごと、全引張材を同時緊張して、再緊張してプレストレス力を与える。このとき、アンカーヘッドの段差面とカップラーの係止面とが噛み合い、そのテーパー面の摺り合わせによって、カップラーをアンカーヘッド周面側に引き寄せ、より噛み合わせが強固となる。アンカーヘッドは緊張された分、構造物上の支圧板から浮き上がるが、アンカーヘッドと支圧板との間に、シムを噛ませて隙間を埋める。
【００１３】
アンカーヘッドにもカップラーにもネジを刻設しないため、その分材料費が安価となっって、施工費を低減化できる。カップラーは複数に分割されたものを合わせてアンカーヘッドにかぶせるだけであるから、作業は著しく簡単で、施工時間を短くできる。
【実施例１】
【００１４】
以下、図に示す実施例に基づき、この発明を詳細に説明する。図１において１は円盤形状のアンカーヘッドであって、四個の引張材挿通孔２が貫通しており、その挿通孔２に配置されたクサビ３によって、引張材４の突端が締め付けられて定着してある。アンカーヘッド１は、地上に設置したコンクリートブロック５の上に置いた支圧板６の上に載せられている。アンカーヘッド１は、その天端部分が、支圧板６側の基端部分よりも径が大きくなるように、その外周面上下中間であって、その周方向に連続して段差７が設けられている。段差７は、その一番外周側から、内周側に行くにつれ、支圧板６からより離隔するようテーパー面に形成されている。
【００１５】
カップラー１７は円筒形状であって、ふたつの分割体１８・１８に分割可能であって、且つ周面にネジが切ってある。このネジは分割されたものを一体化したときに、外周面で連続するよう形成されている。カップラー１７を上述と同様の手順でアンカーヘッド１にかぶせ、その鉤状突片１１を段差７に引っ掛ける。分割体１８・１８と下端には、ボルト１９を通して一体化する。分割体１８・１８の上端にはリング形状の芯揃えカラー２０をかぶせ、そのカラー２０を通したボルト２１をカップラー１７に螺合してカップラーを一体化する。
【００１６】
図において２２は、内周面にネジ切りされた筒状の拘束筒であって、この拘束筒２２を一体化したカップラー１７の外周に螺合する。これにより分割体１８・１８が拘束されて、大きな緊張力が作用しても拡くことがなく、アンカーヘッド１からカップラー１７が離脱するような事故が生じる危険性が無くなり、施工がより安全となる。拘束筒２２にテンションバー２３を螺合して連結し、その上端をジャッキに通してジャッキ内で係止するように支圧ナット２４を螺合する。
【００１７】
テンションバー２３をジャッキによって掴んで、アンカーヘッド１と一緒に、全引張材４を同時緊張する。アンカーヘッド１と支圧板６との間に隙間が生じたとき、その隙間に半円形状の二枚のシムを左右から噛ませて、アンカーヘッド１の高さを維持する。シムは隙間の大きさに応じて、必要な枚数重ねて使用する。
【図面の簡単な説明】
【００１８】
【図１】この発明を実施する装置の分解斜視図である。
【図２】図１に示す装置をアンカーヘッドにセッティングした状態の断面図である。
【符号の説明】
【００１９】
１  アンカーヘッド
２  引張材挿通孔
３  クサビ
４  引張材
６  支圧板
７  段差
１１  鉤状突片
１７  カップラー
１８  分割体
１９  ボルト
２０  芯揃えカラー
２１  ボルト
２２  拘束筒
２３  テンションバー
２４  支圧ナット
【図１】
0003878616.tif 000002
【図２】
0003878616.tif 000003